(57)【要約】  敗血症および敗血症様全身性感染症の早期鑑別診断および検出、予後および重篤度の評価および治療に伴う経過の評価のための方法であって、敗血症を患った、または敗血症の疑いがある患者の生物学的流体におけるパラメータＳ１００Ｂを測定し、かつ、敗血症の存在、予想される経過、重篤度、および／または治療のための開始された処置の成功に関する結論を前記パラメータの存在および／または量から導くことを特徴とする方法に関する。
2005512059.tif 000002
【特許請求の範囲】
【請求項１】
敗血症および敗血症様全身性感染症の早期鑑別診断および検出、予後および重篤度の評価および治療に伴う経過の評価のための方法であって、敗血症を患った、または敗血症の疑いがある患者の生物学的流体においてパラメータＳ１００Ｂを測定し、かつ、敗血症の存在、予想される経過、重篤度、および／または治療のために開始された処置の成功度に関する結論を前記パラメータの存在および／または量から導くことを特徴とする方法。
【請求項２】
Ｓ１００Ｂの測定がヒト血清において実施されることを特徴とする、請求項１記載の方法。
【請求項３】
敗血症が細菌性敗血症であることを特徴とする、請求項１または２に記載の方法。
【請求項４】
Ｓ１００Ｂの測定が、免疫診断アッセイ法によって実施されることを特徴とする、請求項１ないし３のいずれか一項に記載の方法。
【請求項５】
同時に少なくとも一つのさらなる敗血症パラメータが測定されるマルチパラメータ測定法で実施され、かつ、一組の少なくとも二つの測定変数の形態の測定結果が得られ、かつ、高精度の敗血症の診断のために評価されることを特徴とする、請求項１ないし４のいずれか一項に記載の方法。
【請求項６】
マルチパラメータの測定において、プロカルシトニン、ＣＡ１９−９、ＣＡ１２５、Ｓ１００Ａタンパク、可溶性サイトケラチンフラグメント、特にＣＹＦＲＡ２１、ＴＰＳ、および／または可溶性サイトケラチン−１フラグメント（ｓＣＹ１Ｆ）、ペプチドインフラミンおよびＣＨＰ、ペプチドプロホルモンおよびＣ反応タンパク（ＣＲＰ）からなる群から選択される少なくとも一つのさらなるパラメータを、Ｓ１００Ｂに加えてさらに測定することを特徴とする、請求項５記載の方法。
【請求項７】
マルチパラメータ測定法が、チップ技術測定装置または免疫クロマトグラフィー測定装置による同時測定として実施されることを特徴とする、請求項５または６記載の方法。
【請求項８】
前記測定装置を用いて得られた複数の測定結果の評価がコンピュータープログラムを用いて実施されることを特徴とする、請求項７記載の方法。
【発明の詳細な説明】
【技術分野】
【０００１】
本発明は、カルシウム結合タンパクＳ１００Ｂをヒトの血清中で測定する、敗血症の新規の診断方法に関する。
【０００２】
本発明は、臨床的知見に基づいて細菌性敗血症と診断され、そしてそれと同時に、公知の敗血症マーカーであるプロカルシトニンの血清濃度が増大した患者の血清において、Ｓ１００Ｂの濃度が著しく増大することを初めて検出したことに基づいている。
【０００３】
本発明は、感染性の病因の炎症および敗血症の治療および診断のさらなる改善に関連した、出願人の研究に起因する。
【背景技術】
【０００４】
炎症は、種々の外的効果、例えば傷害、やけど、アレルゲン、または微生物、真菌、ウイルスのような微生物の感染、拒絶反応を引き起こす外的組織、または自己免疫疾患や癌のような体の炎症性の内的状態に対する、生物の生理学的反応として一般的に定義されている。炎症は、身体の無害の局在化した反応として生じうるが、個々の組織、器官、器官の一部、および組織の一部の、多数の深刻で慢性的および急性の疾患の典型的な特徴でもある。
【０００５】
敗血症または敗血症性ショックでは、炎症特異的反応カスケードが、全身にわたり無制御式に広がり、過剰な免疫応答の点で生命を脅かすまでになり得る。内因性の敗血症特異的物質の各群の可能性のある役割および発生に関する現在の知識に関しては、例えば、A.Beishuizenら,“Endogenous Mediators in Sepsis and Septic Shock”,Advances in Clinical Chemistry, Vol.33, 1999, 55-131；およびC.Gabayら,“Acute Phase Proteins and Other Systemic Responses to Inflammation”, The New England Journal of Medicine, Vol.340, No.6, 1999, 448-454を参照することができる。敗血症とそれに関連する全身的炎症性疾患の理解、およびかくして認識された定義が近年変化してきたので、K.Reinhartら,“Sepsis und septischer Schock”[Sepsis and septic shock] Intensivmedizin, Georg Thieme Verlag, Stuttgart, New York, 2001, 756-760のも参照することができ、これには敗血症の新しい定義が記載されている。本明細書では、敗血症という用語は、それゆえ、上記参考文献に記載の定義に基づいている。
【０００６】
少なくともヨーロッパでは、血液培養陽性によって検出可能な全身性の細菌感染が敗血症という用語を長きにわたって特徴づけていたが、敗血症は、今や、主として、感染により引き起こされる全身性の炎症であると理解されている。このような敗血症の理解の変化は、診断アプローチに変化をもたらした。かくして、細菌性病原体の直接的検出が、生理学的パラメータの複合的なモニタリングにより、そして、より最近では、特に敗血症工程または炎症工程に関与するある内因性物質、すなわち特異的「バイオマーカー」の検出により、置換または補足されている。
【０００７】
炎症工程に関与することが知られるまたは推定される多数の媒介物質および急性期蛋白の中で、臨床的敗血症診断に適しているものは、特に、敗血症または敗血症のある段階で高い感度および特異性で生じ、あるいは、その濃度が劇的かつ診断的に有意に変化し、かつ機械的な測定に必要とされる安定性を有しかつ高濃度に達するものである。診断目的では、病理学的工程と各バイオマーカーとの信頼できる相関関係が主として重要であり、炎症工程に関連する内因的物質の複雑なカスケードにおけるその役割を正確に理解する必要性はない。
【０００８】
敗血症のバイオマーカーとして特に適している公知の内因性物質はプロカルシトニンである。プロカルシトニンは、その血清濃度が感染性の病因の全身的炎症の条件下（敗血症）で非常に高い値に達するが、実際に健常者では検出不可能なプロホルモンである。高濃度のプロカルシトニンは、敗血症の比較的早期においても達成されるので、プロカルシトニンの測定は、敗血症の早期診断、および別の原因を有する深刻な炎症から感染により引き起こされた敗血症の早期診断にも適している。プロカルシトニンの測定は、さらに、敗血症の経過の治療に伴う観察に特に価値がある。敗血症マーカーとしてのプロカルシトニンの測定は、M.Assicotら,“High serum procalcitonin concentrations in patients with sepsis and infection”, The Lancet, Vol.341, No.8844, 1993, 515-518；および特許DE4227454C2およびEP0656121B1およびUS5,639,617の主題である。本明細書の記載を補うために、これらの特許および刊行物を参照としてここに含める。近年、プロカルシトニンの主題に関する刊行物の数が増えている。それゆえ、W.Karzaiら,“Procalcitonin - A New Indicator of the Systemic Response to Severe Infection”, Infection, Vol.25, 1997, 329-334；およびM.Oczenskiら,“Procalcitonin: a new parameter for the diagnosis of bacterial infection in the perioperative period”, European Journal of Anaesthesiology 1998, 15, 202-209;およびさらに、H.Redlら“Procalcitonin release patterns in a baboon model of trauma and sepsis: Relationship to cytokines and neopterin”, Crit Care Med 2000, Vol.28, No.11, 3659-3663；およびH.Redlら,“Non-Human Primate Models of Sepsis”Sepsis 1998; 2:243-253;およびこれらの文献に引用されているさらなる参考文献も、最近発行された論評の典型として、参照することができる。
【０００９】
敗血症マーカーであるプロカルシトニンの利用可能性は敗血症の研究に重要な刺激を与え、本出願人により、プロカルシトニン測定を補い、かつ／または敗血症の高精度の診断または鑑別診断のための付加的情報を与えることができるさらなるバイオマーカーを見つけるための集中的な努力がなされている。かくして、血清または血漿レベルが比較的高く、その測定がプロカルシトニンの測定結果を単純に繰り返すのではなく、付加的な情報、特に敗血症の経過の段階における情報、すなわち好ましくは時間に伴う敗血症の進行に関する情報、および／または敗血症の進行の最初または主な器官における情報、すなわち局在的情報を与えるような、敗血症診断のさらなるバイオマーカーについての調査がなされている。この目的は、例えば、いわゆるチップ技術または免疫クロマトグラフィー法（“ポイントオブケア”またはＰＯＣ測定法）を用いて、敗血症患者または敗血症の可能性のある患者に同時に測定できる敗血症パラメータセットの選択、並びに、各パラメータ一つだけの測定の情報価値を明らかに凌ぐ情報パターンを全体として提供することである。
【００１０】
しかしながら、可能性のある新規の敗血症バイオマーカーの研究は、多くの場合、炎症または敗血症の進行に関与するある内因性物質の発生についての正確な理由、または正確な機能についてほとんどあるいは全く分かっていないという事実から、困難である。
【００１１】
敗血症において増加する内因性物質は身体の複雑な反応カスケードの一部であることから、そのような物質は診断目的というばかりでなく、例えば、敗血症に観察される炎症の全身的広がりをできるだけ早く止めるために、この種の各物質の形成および／または濃度に影響を与えることにより敗血症の進行に治療的に介入する試みも相当な努力を以て現在進められている。これに関連して、敗血症の進行に関与することが示された内因性物質は、可能性のある治療ターゲットとしても考えられるべきである。
【００１２】
さらなる可能性のある敗血症マーカーの測定に対する実りのある純粋に仮説的なアプローチの実験結果がDE19847690A1およびWO00/22439に見られる。そこには、敗血症の場合、プロホルモンであるプロカルシトニンの濃度が顕著に増加するだけでなく、ペプチドプロホルモンに含まれる別の物質についても顕著な濃度増加が観察されることが示されている。ペプチドプロホルモンであるプロ-エンケファリン、プロ-ガストリン放出ペプチド（pro-GRP）、プロ-エンドセリン−１、プロ-脳性ナトリウム利尿ペプチド（pro-BNP）、プロ-心房性ナトリウム利尿ペプチド（pro-ANP）、プロレプチン、プロ-ニューロペプチドＹ、プロ-ソマトスタチン、プロ-ニューロペプチドＹＹ、プロ-インターロイキン６、またはプロ-インターロイキン１０をここで挙げることができる。記載されている現象については文書で証明されているが、敗血症におけるプロホルモンの濃度増加の原因は実質的に説明されていない。
【非特許文献１】A.Beishuizenら, Advances in Clinical Chemistry, Vol.33, 1999, 55-131
【非特許文献２】C.Gabayら, The New England Journal of Medicine, Vol.340, No.6, 1999, 448-454
【非特許文献３】K.Reinhartら, Intensivmedizin, Georg Thieme Verlag, Stuttgart, New York, 2001, 756-760
【非特許文献４】M.Assicotら, The Lancet, Vol.341, No.8844, 1993, 515-518
【特許文献１】DE4227454C2
【特許文献２】EP0656121B1
【特許文献３】US5,639,617
【非特許文献５】W.Karzaiら, Infection, Vol.25, 1997, 329-334
【非特許文献６】M.Oczenskiら, European Journal of Anaesthesiology 1998, 15, 202-209
【非特許文献７】H.Redlら, Crit Care Med 2000, Vol.28, No.11, 3659-2663
【非特許文献８】H.Redlら, Sepsis 1998; 2:243-253
【特許文献４】DE19847690A1
【特許文献５】WO 00/22439
【発明の開示】
【発明が解決しようとする課題】
【００１３】
本明細書では、敗血症診断に適しているさらなる生体分子に関する研究における別の仮説的アプローチの結果が報告される。それは、腫瘍マーカーとして今日まで考えられており、それゆえ実質的に腫瘍診断の目的で臨床的に測定されてきたバイオマーカーの、臨床的知見では腫瘍の存在を全く示さない敗血症患者の生物学的サンプル、特に血清サンプルにおける、生理学的濃度の測定結果に基づいている。
【００１４】
驚くべきことに、細菌性敗血症の場合、典型的な腫瘍マーカーとして今日まで考えられてきた一部の生体分子が顕著に増大することを見出した。これは、これらが腫瘍特異的に形成されるのではなく、これらの腫瘍マーカーを放出する組織および器官にも影響する全身性の重要な生理学的工程の兆候である。問題の生体分子の濃度は、本明細書および同時に出願した別の出願に記載されている通り、敗血症において高い感度で増大するが、測定値と、同様に顕著に増大したプロカルシトニン濃度との相互関係は同時には存在しない。すなわち両方のパラメータは各患者で増加するが、一部の場合では、非常に異なる程度で増加することが見出された。
【課題を解決するための手段】
【００１５】
本発明は、タンパクＳ１００Ｂの顕著に増加した生理学的濃度が細菌性敗血症患者の血清に見出されること、そしてこのことが、これらのパラメータを、特にさらなる敗血症パラメータの測定と組み合わせて、敗血症の鑑別診断に適したものとすることを、初めて得たという事実に基づくものである。
【００１６】
本発明に係る方法およびその好ましい実施態様が、請求項１から８に、より詳細に定義される。
【００１７】
今日まで、生物学的流体におけるＳ１００Ｂの濃度、特に血清濃度は、細菌性敗血症において顕著に増大すること、並びに、Ｓ１００Ｂの濃度の測定が、それゆえ敗血症診断にも重要であることは知られていなかった。
【００１８】
本発明によれば、診断的な敗血症検出法においてＳ１００Ｂの測定を用いることが可能である。特に興味深いのは、予後マーカーおよび敗血症の経過をモニタリングするためのマーカーとしての、特に別のマーカーとの組み合わせ測定における、Ｓ１００Ｂの適性である。
【００１９】
プロカルシトニン測定と組み合わせることに加えて、Ｓ１００Ｂの測定と、今日まで典型的な腫瘍マーカーであると考えられてきた敗血症および全身性炎症のさらなるマーカー、特に、ＣＡ１９−９、ＣＡ１２５、またはＳ１００Ａタンパク群、あるいは下記の本出願人の独国特許出願に記載の新規の敗血症マーカーであるインフラミン（DE10119804.3）およびＣＨＰ（DE10131922.3）、および／または可溶性サイトケラチンフラグメント、特に最近見出された可溶性サイトケラチン−１フラグメント（sCY1F; DE10130985.6）および腫瘍マーカーとして知られているパラメータCYFRA-21またはTPS、および／または一以上の上記のプロホルモンの測定とを組み合わせることが、特に適している。公知の炎症パラメータであるＣ反応タンパク（CRP）の同時測定も提供できる。本明細書およびこれと平行する出願に記載されている新しい結果に基づいて、敗血症マーカーとして、および／または組織または器官特異的炎症マーカーに適した公知の生体分子またはこれから見出される生体分子の測定との組み合わせも、高精度の敗血症診断のために一般的に考慮されるべきである。
【００２０】
本出願人による前記先の出願の内容を、本明細書の開示の一部として考慮すべきである。
【００２１】
Ｓ１００Ｂは、いわゆる“Ｓ１００”タンパク類からなる群のタンパクとして定義されている。これは、その名前が示すとおり、中性ｐＨにおける硫酸アンモニウムで１００％飽和しても溶液のままである性質を有する（溶解度１００％）。これらは、通常は、細胞質に局在するカルシウム結合タンパクに属する。しかしながら、Ｓ１００Ｂを含む一部のＳ１００タンパクは、細胞外の空間にも存在する。Ｓ１００タンパクとその公知の特性、機能、および種々の生理学的工程におけるポジティブおよびネガティブな効果（特に脳や中枢神経系のもの）に関しては、種々の刊行物を参照することができる。例えば、Rosario DonatoによるThe International Journal of Biochemistry & Cell Biology 33 (2001) 637-668およびBiochim. Biophys. Acta 1450 (1999) 199-231における論評を挙げることができ、これらは、広範な科学的関連文献を纏めたものである。一部のＳ１００タンパク、特にタンパクＳ１００Ａ８およびＳ１００Ａ９も、細胞外空間に表れた場合は、炎症反応において制御的役割、特に活性化または阻害的な役割を演じるようである（例えば、R.J.Passey, J.Leukoc. Biol.66 (1999),549-556またはC.Kerkhoffら,Biochim.Biophys.Acta 1448(1998)200-211を参照）。
【００２２】
いわゆる液体および血清におけるＳ１００Ｂの測定は、脳の病変を有する患者における診断目的で推奨されており、例えば虚血により引き起こされた損傷の程度に影響する。脳の損傷は真菌カンジダアルビカンスの全身的感染の結果としても生じるので、実験的に誘導したカンジダアルビカンス感染マウスは、真菌感染により引き起こされた脳損傷と、マウスの血清中へのＳ１００Ｂ放出との間の関係を調べるために有用である（Thomas Bertschら,Clin.Chem.Lab.Med 2001,39(4):319-323参照）。しかしながら、Ｓ１００Ｂは特別な腫瘍マーカーでもあり、特にＳ１００Ｂは悪性メラノーマの場合の腫瘍マーカーとして、特に予後目的で測定される（例えば、Andreas Jackelら,Hautarzt,1999,50:250-256参照）。腫瘍マーカーとしての用途から、Ｓ１００Ｂが、細菌性敗血症と診断された患者の血清において、以下により詳細に記載する実験で調べられた。
【００２３】
我々が知る限り、全身的なＳ１００Ｂの測定は、細菌性敗血症患者において行われたことがなく、また、細菌性敗血症または感染により引き起こされた全身的炎症を患う患者において腫瘍マーカーＳ１００Ｂの顕著に増加した測定値に関することはこれまで何も開示されたことがない。
【００２４】
圧倒的な数の敗血症患者におけるＳ１００Ｂ濃度の実質的な増大が、以下の二つの図面を参照する実験報告に記載の測定において、初めて見出された。
【００２５】
実験報告
敗血症マーカープロカルシトニン（ＰＣＴ）に高い値が見られた９１人の敗血症患者の血清において、Ｓ１００Ｂの測定用の商業的アッセイ（Sangtec 100 IRMA, AB Sangtec Medical, Bromma, Sweden）を用いて、Ｓ１００Ｂの血清濃度を測定した。６４％の血清において、高い（あるケースでは特に強く増加した）Ｓ１００Ｂ濃度（０．０５μｇ／ｌ）が見られた。観察された結果から、Ｓ１００Ｂは新規の急性期タンパクとして考えることができる。
【００２６】
この測定結果のグラフを図１に示す。
【００２７】
個人の血清について測定したＳ１００Ｂ値をＰＣＴの測定値と比較した場合、最も高いＳ１００Ｂ値が、高いＰＣＴ濃度が観察された血清において見出されるという意味での積極的な定量的相関関係は見いだせなかった。図２は、そのような比較に見られる相関関係を示す。僅かにまたは中程度に高いＰＣＴ濃度の場合、非常に高い濃度に対応するＳ１００Ｂ値を得ることが可能であるが、少数のケースにおいては、Ｓ１００Ｂの濃度は使用したアッセイの検出限界に達しなかったことが明らかである。
【００２８】
Ｓ１００Ｂの測定結果が実質的にＰＣＴ測定結果から独立であるという事実は、敗血症で両方のパラメータが増加するにもかかわらず、異なる効果が測定されることを示しており、これは、両方のパラメータを測定することが、唯一のパラメータを測定するよりも多くの情報を提供することを意味する。
【００２９】
Ｓ１００Ｂの測定と、一以上の敗血症マーカーの測定とを組み合わせることは、それゆえ、敗血症の高精度の診断を改善すること、および疾患の経過の予後を改善すること、および敗血症患者の経過の治療に伴うモニタリングに適しており、できるだけ完全に記録した個々のケースの正確な評価に基づく上記組み合わせ測定の結果の理解が（例えば、感染のタイプについての情報、敗血症の理由および経過、患者の年齢および性別の特徴的データ）、評価されたケースの数に伴って着実に改善されるであろうことが明らかに期待される。
【００３０】
Ｓ１００Ｂの測定は、適切な選択的抗体を用いた免疫診断方法により患者の体液で測定することが、実際的な観点から、最も有利であるように思われるが、所望の適切な検出方法により実施できる。Ｓ１００Ｂの測定に関する商業的アッセイが既に入手可能であり、本発明においても用いることができる。必要であれば、敗血症診断に関連する測定範囲における測定の良好な精度が保証されなければならない。
【００３１】
かくして、Ｓ１００Ｂの測定は、上記方法により患者の生物学的流体のサンプルにおけるＳ１００Ｂの濃度を測定すること、Ｓ１００Ｂの検出された存在および／または量から敗血症の存在に関する結果を導くこと、および得られた結果を重篤度、敗血症の進行、および／または敗血症により最も影響を受けた組織または器官と相関させ、かつ、可能な治療を適切に選択することおよび／または治療の展望を評価することにより、敗血症の早期の鑑別診断、および検出および予後の準備、重篤度の評価、および経過の治療に伴う評価のために実施することができる。
【図面の簡単な説明】
【００３２】
【図１】２０人のコントロール（血液ドナー）群と比較した、９１人の敗血症患者の血清におけるＳ１００Ｂの測定結果を示す。
【図２】図１記載の９１人の敗血症患者のＳ１００Ｂの測定結果と、同じ血清中のプロカルシトニンの測定結果との定量的な相関関係を示す。
【図１】
2005512059.tif 000003
【図２】
2005512059.tif 000004
【国際調査報告】
2005512059.tif 000005
2005512059.tif 000006
2005512059.tif 000007
2005512059.tif 000008